(57)【特許請求の範囲】
【請求項１】
収納空間の前面を覆蓋する扉部材の一部の領域に透過型スクリーンが設けられ、該透過型スクリーンに向けて画像を投影するプロジェクターが前記収納空間内に配設されてなる住宅設備機器であって、
前記プロジェクターは前記透過型スクリーンの真後ろに設置されているとともに、
前記扉部材が前後に平行移動できるように構成されている
ことを特徴とする住宅設備機器。
【請求項２】
住宅設備機器が洗面化粧台のミラーキャビネットであり、前記扉部材が、該ミラーキャビネットの前面の鏡である
請求項１に記載の住宅設備機器。
【発明の詳細な説明】
【技術分野】
【０００１】
本発明は、画像をプロジェクターにより透過型スクリーンに投影することのできる住宅設備機器に関するものである。
【背景技術】
【０００２】
従来、特許文献１に開示されているように、吊戸棚の扉の少なくとも一部の領域に透過型スクリーンが設けられ、この透過型スクリーンに向けて画像を投影するプロジェクターが吊戸棚内に配設されてなる厨房装置がある。
【先行技術文献】
【特許文献】
【０００３】
【特許文献１】特開２００５−３０４８８２号公報
【発明の概要】
【発明が解決しようとする課題】
【０００４】
上記特許文献１に開示されている厨房装置では、透過型スクリーンに投影されるプロジェクターからの画像は比較的小さく、映像が見にくいという問題点があり、大きな映像の見られる住宅設備機器の出現が望まれていた。
【課題を解決するための手段】
【０００５】
本発明は、収納部分を減らすことなく、大きな映像の見られる住宅設備機器の提供を目的とし、この目的の少なくとも一部を達成するために以下の手段を採った。
本発明は、収納空間の前面を覆蓋する扉部材の一部の領域に透過型スクリーンが設けられ、該透過型スクリーンに向けて画像を投影するプロジェクターが前記収納空間内に配設されてなる住宅設備機器であって、
前記プロジェクターは前記透過型スクリーンの真後ろに設置されているとともに、
前記扉部材が前後に平行移動できるように構成されている
ことを要旨とする。
【発明の効果】
【０００６】
本発明では、扉部材が前後に平行移動できるため、扉部材を前方側へ引き出すことにより、透過型スクリーンの映像が大きくなり、また、顔に近づくことで映像が見やすいものとなる。
【０００７】
また、本発明の住宅設備機器において、住宅設備機器が洗面化粧台のミラーキャビネットであり、前記扉部材が該ミラーキャビネットの前面の鏡であるものとすることもできる。
こうすれば、洗面化粧台のミラーキャビネットの前面の鏡を前方側へ引き出すことで、透過型スクリーンの映像を大きくすることができ、同時に、映像が顔に近くなるので見やすいものとなる。
【図面の簡単な説明】
【０００８】
【図１】ミラーキャビネットの側面断面構成図である。
【図２】図１のミラーキャビネットにおける鏡扉を前方側へ引き出した状態の側面断面構成図である。
【図３】洗面化粧台のミラーキャビネットの斜視構成図である。
【図４】洗面化粧台のミラーキャビネットに撮像装置を付設した斜視構成図である。
【図５】撮像装置を備えた洗面化粧台の使用状態図である。
【図６】透過型スクリーン部を変更したミラーキャビネットの側面断面構成図である。
【図７】さらに透過型スクリーン部を変更したミラーキャビネットの扉の閉止状態の縦断面構成図である。
【図８】図７の状態から透過型スクリーン部を前方側へ引き出した状態の側面断面構成図である。
【図９】ミラーキャビネットの鏡扉を前方側へ引き出す構造の変更例の要部斜視構成図である。
【発明を実施するための形態】
【０００９】
次に、本発明を実施するための形態を実施例を用いて説明する。
図１は、ミラーキャビネットの扉の閉止状態の側面断面構成図であり、図２は、扉を前方側へ引き出した状態のミラーキャビネットの側面断面構成図であり、図３は、洗面化粧台のミラーキャビネットの斜視構成図である。
【００１０】
図において、洗面化粧台１は、水栓２とハンドル３を備えた洗面器４の上方に、ミラーキャビネット５が設置されて構成されている。
ミラーキャビネット５は、キャビネット本体６内に収納空間Ｓが形成され、収納空間Ｓの前面には覆蓋状に鏡扉７が取り付けられており、各鏡扉７は、蝶番８，８を介して前方側へ片開き状に開閉できるように構成されている。
【００１１】
キャビネット本体６は、天板６ａと背板６ｂと底板６ｃで前面が開放された箱状に形成され、内部には収納空間Ｓが形成されている。この収納空間Ｓ内には、収納棚９ｂ，９ｃ，９ｄが上下方向に所定間隔で水平に設けられて、収納空間Ｓ内は複数段に仕切られており、各収納棚９ｂ，９ｃ，９ｄは背板６ｂに当接された棚連結板９ａで連結されている。
【００１２】
なお、本例では、収納空間Ｓ内の、収納棚９ｄの下方の底板６ｃの奥側に超小型のプロジェクター１０が設けられている。この超小型のプロジェクター１０には、例えばＬＥＤ光源あるいはレーザー光源が使用され、レーザー光源のものでは、フォーカス調整が不要で、ピントのぼけが生じない
【００１３】
収納空間Ｓの前面を覆蓋する鏡扉７は、ガラス板７ａの裏側に銀幕処理層７ｂが形成された鏡となっており、ガラス板７ａの下部部位においては、ガラス板７ａの裏側に投影フイルム７ｃが張設等されて透過型スクリーン部７０が形成されている。
この鏡扉７の透過型スクリーン部７０に向けて、前記プロジェクター１０から画像を投影できるように構成されており、透過型スクリーン部７０に投影された画像を、洗面化粧台１の前に立つ使用者は鏡扉７の前方側から見ることができる。
【００１４】
なお、投影フイルム７ｃは、例えば拡散シート，すりガラス，ハーフミラー等で構成され、鏡扉７のガラス板７ａの一部に、このような投影フイルム７ｃを裏側に張着等するだけで、鏡扉７の一部に透過型スクリーン部７０を形成させることができ、透過型スクリーン部７０の加工は容易に行えるものである。
【００１５】
図１のように、鏡扉７が収納空間Ｓの前面に閉ざされた状態では、前記プロジェクター１０から透過型スクリーン部７０に投影される画像は小さいものであるが、図２のように、鏡扉７を前方側へ引き出すことにより、透過型スクリーン部７０も前方側へ引き出されてプロジェクター１０との距離が増加するため、プロジェクター１０から透過型スクリーン部７０に向けて投影される画像は大きなものとなる。この場合、収納棚９ｄを上方側へ移動させる必要もなく、収納空間Ｓ内の収納部分は何ら減少することはない。
このように、鏡扉７を前方側へ引き出すことで、透過型スクリーン部７０に投影される画像を大きくすることができ、同時に、透過型スクリーン部７０は洗面化粧台１の前に立つ使用者の顔に近づくこととなるため、極めて見やすいものとなる。
【００１６】
なお、鏡扉７を前方側へ引き出すことができるように、本例では、キャビネット本体６の天板６ａの下部と底板６ｃの部分に、レールガイド１１，１１が水平に設けられており、この各レールガイド１１，１１には、前方側へスライド可能にスライドレール１２，１２が嵌め込まれており、各スライドレール１２，１２の前端が鏡扉７に連結されて構成されている。
なお、収納空間Ｓの各収納棚９ａ，９ｂ，９ｄ上に収納される備品等を出し入れする際には、蝶番８，８を介して鏡扉７を開けることができるものである。
【００１７】
次に、図４において斜視図で示す洗面化粧台１においては、ミラーキャビネット５の側方に回動アーム１３を設けて、この回動アーム１３の先端に撮像装置１４を取り付けて構成したものである。
なお、回動アーム１３は、複数の支点１３ａ，１３ｂ，１３ｃを備えており、撮像装置１４を上下方向，左右方向および前後方向の任意の位置に移動させることができるものである。
【００１８】
撮像装置１４は、ＣＣＤカメラやＣＭＯＳカメラ，その他これらに類する小型のカメラモジュールで構成され、例えば無線送信機構が組み込まれており、この撮像装置１４からアンテナまたは赤外線の発光ポート等を介して、電波あるいは赤外線等の光線により前記プロジェクター１０に画像データ送信することができるように構成されている。
【００１９】
なお、回動アーム１３を利用して、この回動アーム１３に沿って配線し、配線により撮像装置１４とプロジェクター１０を接続した構成であっても良い。
なお、撮像装置１４からの画像データは、動画でも静止画であっても、更には一定の時間間隔で撮影した連続する静止画であっても良い。
また、撮影と同時にプロジェクター１０から透過型スクリーン部７０に向かって投影させるだけでなく、録画装置またはバッファ装置を設けて撮像装置１４で撮影した画像データを一時的に保存し、時間の経過後に透過型スクリーン部７０で映像を再生するように構成しても良い。
【００２０】
なお、図５は、洗面化粧台１の前に人が立ち、撮像装置１４を使用している状態図であり、撮像装置１４を適宜移動させて、例えば人体の後姿の画像や頭の上から見える画像を透過型スクリーン部７０に映し出すことができ、更には、拡大させて頭皮の状態や肌の状態、あるいは喉や耳の中の画像を透過型スクリーン部７０に映し出すことができ、健康状態等を確認することが可能となる。
なお、通常は、プロジェクター１０から透過型スクリーン部７０に投影される画像は、時間や天気予報あるいはニュースの画像であり、その他、地上波デジタル放送の画像、あるいはビデオ撮影したビデオ画像等である。
【００２１】
次に、図６で示すものは、透過型スクリーン部７０を変更したミラーキャビネット５の側面断面構成図である。
図６では、銀幕処理層を形成した鏡扉７の下部に、別体で枠状の窓７ｄを形成させ、この窓７ｄに投影フイルム７ｃを縦設させて、透過型スクリーン部７０を鏡扉７の下部部位に形成させたものである。
【００２２】
このように、鏡扉７の下部部位に別体の窓７ｄによる透過型スクリーン部７０を形成させた構造においても、鏡扉７とともに窓７ｄおよび投影フイルム７ｃを前後に平行移動させることができる構造を採用して、前方側へ引き出すことで透過型スクリーン部７０の映像を大きくすることができ、しかも、顔に近づくために、より映像が見やすいものとなる。
【００２３】
次に、図７および図８で示す変更例は、図６における投影フイルム７ｃの部分のみを前方側へ引き出し可能に構成したものである。
即ち、収納棚９ｄの前方に位置する部分には、ガラス７１ａの裏側に投影フイルム７ｃが張着等されて構成された透過型スクリーン扉７１が設けられており、この透過型スクリーン扉７１の上端側および下端側には、それぞれレールガイド１１，１１を介して前方側へ引き出し可能にスライドレール１２，１２が連結されており、図８のように、この透過型スクリーン扉７１のみを鏡扉７とは無関係に前方側へ引き出すことができて、透過型スクリーン扉７１を前方へ引き出してプロジェクター１０から投影される画像を大きくすることができ、しかも、透過型スクリーン扉７１が引き出されることで顔に近づくために、より映像が見やすいものとなる。
なお、透過型スクリーン扉７１を図示しない蝶番を介して片開き状に開けて、収納棚９ｄ上の収納空間Ｓ内に良好に物を出し入れすることができる。
【００２４】
なお、映像を拡大させるために透過型スクリーン部７０を備えた鏡扉７を前後方向に平行移動させる手段として、例えば図９に示すように、鏡扉７の上端および下端にフレーム１７ａを設け、更にキャビネット本体６と連結するフレーム１７ｂを設けて、このフレーム１７ｂとキャビネット本体６を、軸１５ａを有する蝶番１５で連結し、更にフレーム１７ｂの他端に軸１６ａを有する蝶番１６を設けて、二つの蝶番１５，１６を介してキャビネット本体６に対し鏡扉７を前後方向に平行移動させることができるように構成することもできる。
このように鏡扉７を前方側へ平行移動させて透過型スクリーン部７０の映像を大きくして見ることができ、また、良好に収納空間Ｓを開閉させて、収納空間Ｓ内の物の出し入れを良好に行うことができるものとなる。
【符号の説明】
【００２５】
１  洗面化粧台
４  洗面器
５  ミラーキャビネット
６  キャビネット本体
７  鏡扉
７ａ  ガラス板
７ｂ  銀幕処理層
７ｃ  投影フイルム
７ｄ  窓
８，１５，１６  蝶番
９ｂ，９ｃ，９ｄ  収納棚
１０  プロジェクター
１１  レールガイド
１２  スライドレール
１３  回動アーム
１４  撮像装置
１７ａ，１７ｂ  フレーム
７０  透過型スクリーン部
７１  透過型スクリーン扉
７１ａ  ガラス
Ｓ  収納空間
【図１】
0005674394.tif 000002
【図２】
0005674394.tif 000003
【図３】
0005674394.tif 000004
【図４】
0005674394.tif 000005
【図５】
0005674394.tif 000006
【図６】
0005674394.tif 000007
【図７】
0005674394.tif 000008
【図８】
0005674394.tif 000009
【図９】
0005674394.tif 000010